(57)【特許請求の範囲】
【請求項１】
投入口から投入された紙幣を、複数のプーリを介して掛け渡された搬送経路を形成する上下一対の搬送ベルト間に挟持して搬送するとともに、この搬送経路の途上に、紙幣の搬送方向の姿勢を修正する姿勢修正機構を設置してなる紙幣搬送装置において、
この姿勢修正機構は、前記搬送経路途上における前後一対のプーリ間を紙幣の搬送方向の長さよりも長くし、かつそれらの間の前記上下一対の搬送ベルトを上流側から下流側に向け下降傾斜させた修正路に形成するとともに、
この修正路の両側部位に下流側から上流側に向け外側にテーパ曲面状に開く左右一対のガイド部材を設け、これらのガイド部材にて偏って搬送される紙幣の搬送方向の中心軸部を前記修正路の中心軸部側に向け移動修正可能にしたことを特徴とする紙幣搬送装置。
【発明の詳細な説明】
【０００１】
【発明の属する技術分野】
本発明は、例えばパンチコ店舗などに設置される紙幣の自動両替機やカード発券機などに装備される紙幣搬送装置に関するものである。
【０００２】
【従来の技術】
従来、この種の自動両替機やカード発券機などに装備される紙幣搬送装置においては、例えば投入口から投入された紙幣を、複数のプーリを介して掛け渡された搬送経路を形成する上下一対の搬送ベルト間に挟持して鑑別処理部に搬送し、この鑑別処理部にて紙幣の金種及び真偽を鑑別した後、収納金庫内にスタック（集積）してなる構成を有するものがある。
【０００３】
【発明が解決しようとする課題】
しかしながら、このような従来構造の紙幣搬送装置にあっては、投入口から投入された紙幣の搬送方向の姿勢が偏って搬送されると、鑑別処理部での紙幣の鑑別が精度良く行えず、両替不良などの誤動作を生じ易いばかりでなく、収納金庫内へのスタックミスを発生させる原因になるという問題があった。
【０００４】
本発明の目的は、搬送途上における紙幣の搬送方向の姿勢を正規の状態に修正し、両替不良などの誤動作や収納金庫内へのスタックミスを防止することができるようにした紙幣搬送装置を提供することにある。
【０００５】
【課題を解決するための手段】
上記した課題を解決するために、本発明は、投入口から投入された紙幣を、複数のプーリを介して掛け渡された搬送経路を形成する上下一対の搬送ベルト間に挟持して搬送するとともに、この搬送経路の途上に、紙幣の搬送方向の姿勢を修正する姿勢修正機構を設置してなる紙幣搬送装置において、この姿勢修正機構は、前記搬送経路途上における前後一対のプーリ間を紙幣の搬送方向の長さよりも長くし、かつそれらの間の前記上下一対の搬送ベルトを上流側から下流側に向け下降傾斜させた修正路に形成するとともに、この修正路の両側部位に下流側から上流側に向け外側にテーパ曲面状に開く左右一対のガイド部材を設け、これらのガイド部材にて偏って搬送される紙幣の搬送方向の中心軸部を前記修正路の中心軸部側に向け移動修正可能にしてなる構成としたものである。
【０００６】
【発明の実施の形態】
以下、本発明の実施の形態を図面を参照しながら詳細に説明する。本発明に係る紙幣搬送装置は例えばパチンコ店舗におけるカード発券機に装備されるもので、その発券機としては、図１に示すごとくパチンコ島の端部側や中央側に位置してパチンコ機と並び設けられている。この発券機では、千円札や壱万円札などの紙幣を投入する投入口Ａを前面に配置し、所望額面を表すボタンを押すことにより、額面に対応した使用度数が設定されたカードを発行するようにしたものである。また、本発明の紙幣搬送装置は前記カード発券機に限定されて装備されるというものではなく、投入された高額紙幣を千円札や硬貨に両替する自動両替機においても勿論装備できるものである。このように紙幣搬送装置は、紙幣を受け入れる前記各種機器における投入口に対応するようにして組み込まれるものである。
【０００７】
図２は例えば本発明に係る紙幣搬送装置の全体構成を概略的に示すもので、図中１は投入口Ａから投入された紙幣Ｓを図示しない鑑別処理部に至る投出口Ｂまで搬送する搬送経路である。この搬送経路１は、複数のプーリ２と、これら各々のプーリ２に掛け渡された上下一対の搬送ベルト３，４とで形成され、これらの搬送ベルト３，４は、図示しない駆動装置の駆動で前記プーリ２を回転駆動させることにより同一方向に同一の速度で走行する。前記搬送ベルト３，４は投入口に臨む部分から投出口に臨む過分までの間において相互に接し合っており、それらの間に紙幣Ｓを挟持して搬送し、投出口側に臨む部分でこの搬送ベルト３，４が分かれることで紙幣を解放するようにしている。
【０００８】
そして、前記搬送装置１の途上には、紙幣Ｓの搬送方向Ｘの姿勢を修正する姿勢修正機構１０が設置されている。この姿勢修正機構１０は、前記搬送経路１の途上における前後一対のプーリ２Ａ，２Ｂ間の長さＬを紙幣Ｓの搬送方向Ｘの長さＬ１よりも長くし（Ｌ＞Ｌ１）、かつそれらの間の前記上下一対の搬送ベルト３，４を上流側から下流側に向け下降傾斜θさせた修正路１１に形成してなる一方、この修正路１１の左右両側部位に、図３に示すように、下流側から上流側に向け外側にテーパ曲面状に開く左右一対のガイド部材１２，１３を設けてなる構成を有するものである。ガイド部材１２，１３それぞれの内面（後述のテーパ曲面）は、前記修正路の搬送平面に対して直交するものとされている。
【０００９】
すなわち、上記した本発明に係る紙幣搬送装置における姿勢修正機構１０の構成によれば、修正路１１を形成する前後一対のプーリ２Ａ，２Ｂ間の長さＬが紙幣Ｓの搬送方向Ｘの長さＬ１よりも長くしているために、それらの間の上下一対の搬送ベルト３，４による修正路１１上における紙幣Ｓの挟持力が小さく、しかも、両搬送ベルト３，４を上流側から下流側に向け下降傾斜θさせてなるために、紙幣Ｓに自重による自由な下降動作が働く。
【００１０】
これによって、図４に示すように、例えば紙幣Ｓが右側に偏った姿勢で搬送された場合に、一点破線で示すように、紙幣Ｓの搬送方向Ｘの先端部が修正路１１の右側部位に設けたガイド部材１３のテーパ曲面１３ａに当接すると、二点破線で示すように、紙幣Ｓの先端部は、ガイド部材１３のテーパ曲面１３ａに沿って点線矢印で示すように左側に円滑に移動する一方、紙幣Ｓの後端部は、ガイド部材１２のテーパ曲面１２ａに沿って右側に円滑に移動するために、破線で示すように、紙幣Ｓの搬送方向Ｘの中心軸部Ｐ−Ｐを修正路１１の中心軸部Ｏ−Ｏ側に向け正規の状態に修正可能になる。
【００１１】
なお、投入口から差し入れられる紙幣そのものの向きは投入口の大きさによって或る程度規制されるものであり、紙幣の向きが著しくずれた状態で上記修正路に送り込まれることはない。
【００１２】
【発明の効果】
以上説明したように、本発明は、投入口から投入された紙幣を、複数のプーリを介して掛け渡された上下一対の搬送ベルト間に挟持して搬送する搬送経路の途上に姿勢修正機構を設けるとともに、この姿勢修正機構を、前後一対のプーリ間が紙幣の搬送方向の長さよりも長く、かつそれらの間の上下一対の搬送ベルトを上流側から下流側に向け下降傾斜させた修正路にて形成する一方、この修正路の両側部位に下流側から上流側に向け外側にテーパ曲面状に開く左右一対のガイド部材を設けてなることから、紙葉類に自重による自由な下降動作が働く傾斜した修正路に設けられたこれらのガイド部材にて、偏って搬送される紙幣の搬送方向の中心軸部を修正路の中心軸部側に向け正規の状態に容易に移動修正することができ、これによって、従前のような両替不良などの誤動作や収納金庫内へのスタックミスを確実に防止することができるなど、実用性に優れた効果を奏するものである。
【図面の簡単な説明】
【図１】本発明に係る紙幣搬送装置が組み込まれる機器の一例を示す説明図。
【図２】本発明に係る紙幣搬送装置の実施の形態の全体構成を概略的に示す説明図。
【図３】同じく姿勢修正機構の概略的平面図。
【図４】姿勢修正機構における紙幣の姿勢修正状態を示す説明図。
【符号の説明】
１…搬送経路
２，２Ａ，２Ｂ…プーリ
３…搬送ベルト
４…搬送ベルト
１０…姿勢修正機構
１１…修正路
１２…ガイド部材
１２ａ…テーパ曲面
１３…ガイド部材
１３ａ…テーパ曲面
Ａ…投入口
Ｂ…投出口
Ｓ…紙幣
Ｌ…修正路を形成する前後一対のプーリ間の長さ
Ｌ１…紙幣の搬送方向の長さ
Ｏ−Ｏ…修正路の中心軸部
Ｐ−Ｐ…紙幣の中心軸部
θ…修正路の下降傾斜角
Ｘ…搬送方向
【図１】
0003545116.tif 000002
【図２】
0003545116.tif 000003
【図３】
0003545116.tif 000004
【図４】
0003545116.tif 000005